【事件の表示】
　特願２００６−３００９２６「記録媒体」拒絶査定不服審判事件〔平成１９年３月２９日出願公開、特開２００７−８０５０８〕について、次のとおり審決する。
【結　論】
　本件審判の請求は、成り立たない。
【理　由】
１．手続の経緯・本願発明
　本件審判の請求に係る特許出願（以下、「本願」という。）は、平成１０年３月１３日に出願した特願平１０−６２７２４号の一部を平成１８年１１月６日に新たな特許出願としたものであって、平成１９年１０月２６日付けの拒絶理由通知に対して、同年１２月２６日付けで手続補正がされたが、平成２０年１月２３日付けで拒絶査定がされ、これに対し、同年２月２８日付けで拒絶査定不服審判が請求されるとともに、同年３月２８日付けで手続補正がされた。そして、当審からの平成２０年１２月２６日付け、及び、平成２１年６月２日付けの各拒絶理由通知に対して、平成２１年３月９日付け、及び、同年８月６日付けで手続補正がされたものである。
　本願の請求項１に係る発明（以下、「本願発明」という。）は、平成２１年８月６日付け手続補正書の特許請求の範囲の請求項１に記載された事項により特定される次のとおりのものと認める。
　
「【請求項１】
　コンパクトディスクに記録されるコンテンツデータ、又は記録部にダビングされたコンテンツデータの再生動作が行われる際に実行されるプログラムであって、
　前記記録部または装着されたコンパクトディスクに記録されているコンテンツデータの再生動作が行われる際に、当該コンパクトディスクに記録されるＴＯＣ情報に基づいて生成された識別情報を、データベースサーバに送信するステップと、
　前記データベースサーバにおいて検索された、前記識別情報に対応する曲名及びアーティスト名を表すテキストデータを含む第１の関連情報を受信するステップと、
　前記データベースサーバにおいて検索された、前記識別情報に対応するＵＲＬアドレスを受信するステップと、
　前記ＵＲＬアドレスが受信されたことに応じて、前記ＵＲＬアドレスによって指定された情報サーバから前記識別情報に対応するアーティストに関連する最新の情報が含まれる第２の関連情報を受信するステップと、
　前記第１の関連情報を表示部に表示させるステップと、
　再生されている前記記録部または装着されたコンパクトディスクに記録されているコンテンツデータについて、アーティストに関連する最新の情報が含まれる前記第２の関連情報を表示部に表示させるステップと、
　をコンピュータに実行させるプログラムが記憶される記憶媒体。」
　
２．先願発明
　当審からの平成２０年１２月２６日付けの拒絶理由通知において引用された、本願の出願日前の特許出願であって本願の出願後に出願公開がされた特願平９−３４１２８号（特開平１０−２３３０８１号公報参照）の願書に最初に添付された明細書又は図面（以下、「先願明細書等」という。）には、コンピュータに関して以下の技術事項が記載されている。（下線は当審で付した。）
　
　（ａ）「【０００１】
【産業上の利用分野】本発明は、コンピュータに関し、特に、
再生媒体に関する関連情報を再生媒体の再生にあわせて表示などで告知する機能を有するコンピュータに関する
　（ｂ）「【０００８】
【発明の実施の形態】以下、本発明の実施例を図面を参照しつつ詳細に説明する。図１は、本発明の一実施例であるＣＤ（コンパクトディスク）自動起動機能並びに関連情報の自動呼び出し機能を有するコンピュータの概略構成を示している。
【０００９】図１において、
コンピュータ１には、セットされたＣＤの再生プログラムを自動的に起動するための自動起動プログラムとＣＤエクストラの優先再生プログラムを決定するための選択情報決定プログラム及び関連情報の自動呼び出しプログラムを少なくとも有する制御部２、ＣＤオーディオ用の再生プログラム３、フォトＣＤ用の再生プログラム４、ビデオＣＤ用の再生プログラム５といった複数のプログラムが既に用意されている
　（ｃ）「【００１１】次に、まず、再生プログラムの自動起動機能について以下に詳細に説明する。かかる機能は、主として制御部２の自動起動プログラムで実施され、図２にそのフローチャートを示す。
【００１２】
ＣＤがコンピュータ１にセットされると、
【００１３】次に、ステップ２にて、ＴＯＣ情報中のコントロールビット、アドレスビット、分、秒、フレーム番号に関する情報をそれぞれ取得する。コントロールビットからは、そのセッションがＣＤオーディオであるか、ＣＤ−ＲＯＭであるかを識別することができる。また、アドレスビットからは、そのＣＤがシングルセッション（すなわち、第１セッションのみ）かＣＤエクストラのようなマルチセッションであるかを識別することができる。
【００１４】ステップ３では、かかるアドレスビットの値を確認し、セットされたＣＤがマルチセッションであるかシングルセッションであるかを判定する。ステップ３にて、セットされたＣＤがマルチセッションであると判定される時には、ステップ２で読み取ったＴＯＣ情報から次のセッションの先頭時間を得られるので、第２セッションのリードインエリアの再生を行うように読取り部に指令する（ステップ４）。以降、最終セッションまでかかるステップ１、２、３が実行される。
【００１５】各セッションの情報を得た後に、その情報を利用して
セットされたＣＤの種別判別がステップ５以降で実施される
【００１６】ステップ５では、読み込んだ第１セッションのコントロールビットから第１セッションがＣＤオーディオであるか、ＣＤ−ＲＯＭであるかを判定する。ステップ５で第１セッションがＣＤオーディオであると識別された時には、セットされたＣＤはＣＤオーディオまたはＣＤエクストラであるので、そのどちらであるかをステップ６にて識別する。
【００１７】ステップ６では、読み込んだ第１セッションのアドレスビットからセットされたＣＤがシングルセッションであるかマルチセッションであるかを判定する。シングルセッションであれば、セットされたＣＤはＣＤオーディオであり、マルチセッションであればセットされたＣＤはＣＤエクストラであるので、
対応する再生プログラムの起動をステップ７、８で指令する
【００１８】
ＣＤオーディオの再生プログラムでは、予め指定された曲（例えば１曲目）が再生される。
　（ｄ）「【００３３】次に、
関連情報の自動呼び出し機能について説明する。かかる機能は、主として制御部２の関連情報の自動呼び出しプログラムで実施され、図５にそのフローチャートを示す。なお、かかるプログラムは図２で示すＣＤの自動起動プログラムと並列的に起動することも可能である。
【００３４】まず、ステップ５１にてディスクのセットがなされたか否かが検知される。より詳細には、ディスク８が読取り部７のＣＤ用のトレイに装填されると読取り部７からＣＤのセットを示す検出信号を検出することができるのでかかる検出信号を定期的に確認することでディスクのセットがなされたか否かが検知される。
【００３５】ディスクのセットがなされていない場合は今回の処理を終了する。他方、
ディスクのセットが検出された場合はステップ５２にてセットされたディスクの識別情報を取得する
【００３６】
ここでは、ＴＯＣ部の情報、ＣＤオーディオといったディスク内容を示す情報を識別情報とした場合について説明する。少なくともＴＯＣ部分の情報はＣＤの識別には必要であり、分、秒、フレーム番号のデータを本実施例では使用している。
　（ｅ）「【００４２】また、
関連情報としては、例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名、といったそのＣＤの作成に関係した人の情報などが適切である
　（ｆ）「【００５０】なお、本実施例では、識別情報からキーワードを検索し、さらにキーワードからアドレスを検索しているが、これは、他のサーバ１３、１５の一般的な検索機能を利用しやすいようにするためである。よって、一般的な検索に加えて識別情報から直接アドレスを検索する検索部をも有する他のサーバが一般的になれば、
キーワードを検索せずに直接アドレスを検索することも可能である
【００５１】かかる機能は、主として制御部２の関連情報の自動呼び出しプログラムで実施される。なお、かかるプログラムも図２で示すＣＤの自動起動プログラムと並列的に起動することが可能である。
【００５２】まず、ステップ９１にてディスクのセットがなされたか否かが検知される。この点はステップ５１と同様である。
【００５３】ディスクのセットがなされていない場合は今回の処理を終了する。他方
ディスクのセットが検出された場合はステップ９２にてセットされたディスクの識別情報を取得する
【００５４】次に、ステップ９３で
識別情報に対応するアドレスの検索が行われる
対応するアドレス（例えば音楽ＣＤの識別情報であればその歌手のホームページのアドレス）の検索がなされる
【００５５】かかるデータベースは使用者の入力により作成することができるし、他の再生媒体（例えばデータベースを記憶したディスク）から得ることもできる。また、セットされた再生媒体自体がアドレス情報をさらに記憶することも可能である。この場合はステップ９３のアドレスの検索は不要となる。さらに、識別情報からアドレスを検索する検索部１９を有する他のサーバ１８にアクセスし、得られたアドレスを順次保持していくことで図１０のようなデータベースを構築してもよい。
【００５６】
検索にてアドレスが得られた場合（ステップ９４：ＹＥＳ）は、該当するアドレスの関連情報を取得しこれを表示する（ステップ９９）。ホームページのような関連情報は、表示プログラムの一部であるブラウザープログラムを起動させ、通信路１２を介して、検索されたアドレスのサーバ１４にアクセスし、得られた情報を表示部１０で表示可能なように再構成することで表示部１０での表示を可能とする。
【００５７】また、対応するアドレスが取得できない場合は（ステップ９４：ＮＯ）、このままでは関連情報が表示できないのでコンピュータ１のデータベースより更に大きな
データベースを有し、且つ、識別情報からアドレスを検索する検索部１９を有する外部サーバ１８に識別情報を伝送する（ステップ９５）。外部サーバ１８は検索を行い対応するアドレスをコンピュータ１に伝送する。
【００５８】
対応するアドレスが取得された場合（ステップ９６：ＹＥＳ）はステップ９９にて該当する関連情報を表示する。
　
　上記摘示事項及び図面を総合勘案すると、先願明細書等には、次の発明（以下、「先願発明」という。）が記載されているものと認める。
「ＣＤに関する関連情報をＣＤの再生にあわせて表示などで告知する機能を有するコンピュータであって、
セットされたＣＤの再生プログラムを自動的に起動するための自動起動プログラムと並列的に起動する関連情報の自動呼び出しプログラムを有し、
セットされたＣＤのＴＯＣ部の情報等の識別情報を取得し、
データベースを有し、且つ、識別情報からアドレスを検索する検索部を有する外部サーバに識別情報を伝送し、
外部サーバにおいて、識別情報に対応するアドレス（例えば音楽ＣＤの識別情報であればその歌手のホームページのアドレス）の検索が行われ、対応するアドレスがコンピュータに伝送され、
該検索されたアドレスのサーバにアクセスし、得られた情報を表示部で表示可能なように再構成することで、ホームページのような関連情報（歌手のホームページといった情報など）の表示部での表示を可能とする
コンピュータ。」
　
３．対比
　本願発明を、先願発明と比較する。
　（１）先願発明における「セットされたＣＤの再生プログラムを自動的に起動するための自動起動プログラムと並列的に起動する関連情報の自動呼び出しプログラム」及び「データベースを有し、且つ、識別情報からアドレスを検索する検索部を有する外部サーバ」は、本願発明における「コンパクトディスクに記録されるコンテンツデータ、又は記録部にダビングされたコンテンツデータの再生動作が行われる際に実行されるプログラム」及び「データベースサーバ」にそれぞれ相当する。そして、先願発明は、ＣＤがセットされると、前記「自動起動プログラム」において「セットされたＣＤの再生プログラムを自動的に起動」するとともに、「自動起動プログラムと並列的に起動する」前記「関連情報の自動呼び出しプログラム」において「セットされたＣＤのＴＯＣ部の情報等の識別情報を取得し、」「データベースを有し、且つ、識別情報からアドレスを検索する検索部を有する外部サーバに識別情報を伝送」するものであるから、先願発明の前記「関連情報の自動呼び出しプログラム」における前記「セットされたＣＤのＴＯＣ部の情報等の識別情報を取得し、」「データベースを有し、且つ、識別情報からアドレスを検索する検索部を有する外部サーバに識別情報を伝送」するステップは、本願発明における「前記記録部または装着されたコンパクトディスクに記録されているコンテンツデータの再生動作が行われる際に、当該コンパクトディスクに記録されるＴＯＣ情報に基づいて生成された識別情報を、データベースサーバに送信するステップ」に相当する。
　
　（２）先願発明における「アドレス（例えば音楽ＣＤの識別情報であればその歌手のホームページのアドレス）」は、本願発明における「ＵＲＬアドレス」に相当する。そして、先願発明の「コンピュータ」は、「外部サーバにおいて、識別情報に対応するアドレス（例えば音楽ＣＤの識別情報であればその歌手のホームページのアドレス）の検索が行われ、対応するアドレスがコンピュータに伝送され」るものであるから、当該「コンピュータ」における「関連情報の自動呼び出しプログラム」が、本願発明における「前記データベースサーバにおいて検索された、前記識別情報に対応するＵＲＬアドレスを受信するステップ」に相当する構成を備えていることは明らかである。
　
　（３）先願発明における「ホームページのような関連情報（歌手のホームページといった情報など）」は、本願発明における「アーティストに関連する最新の情報が含まれる第２の関連情報」に相当する。そして、先願発明の「コンピュータ」は、「該検索されたアドレスのサーバにアクセスし、得られた情報を表示部で表示可能なように再構成することで、ホームページのような関連情報（歌手のホームページといった情報など）の表示部での表示を可能とする」、「ＣＤの再生にあわせて表示などで告知する」ものであるから、当該「コンピュータ」における「関連情報の自動呼び出しプログラム」が、本願発明における「前記ＵＲＬアドレスが受信されたことに応じて、前記ＵＲＬアドレスによって指定された情報サーバから前記識別情報に対応するアーティストに関連する最新の情報が含まれる第２の関連情報を受信するステップ」及び「再生されている前記記録部または装着されたコンパクトディスクに記録されているコンテンツデータについて、アーティストに関連する最新の情報が含まれる前記第２の関連情報を表示部に表示させるステップ」に相当する構成を備えていることは明らかである。
　
　（４）先願発明の「コンピュータ」における「関連情報の自動呼び出しプログラム」を記憶している媒体は、本願発明における「コンピュータに実行させるプログラムが記憶される記憶媒体」に相当する。
　
　すると、両者の一致点及び一応の相違点は次のとおりである。
（一致点）
「コンパクトディスクに記録されるコンテンツデータ、又は記録部にダビングされたコンテンツデータの再生動作が行われる際に実行されるプログラムであって、
　前記記録部または装着されたコンパクトディスクに記録されているコンテンツデータの再生動作が行われる際に、当該コンパクトディスクに記録されるＴＯＣ情報に基づいて生成された識別情報を、データベースサーバに送信するステップと、
　前記データベースサーバにおいて検索された、前記識別情報に対応するＵＲＬアドレスを受信するステップと、
　前記ＵＲＬアドレスが受信されたことに応じて、前記ＵＲＬアドレスによって指定された情報サーバから前記識別情報に対応するアーティストに関連する最新の情報が含まれる第２の関連情報を受信するステップと、
　再生されている前記記録部または装着されたコンパクトディスクに記録されているコンテンツデータについて、アーティストに関連する最新の情報が含まれる前記第２の関連情報を表示部に表示させるステップと、
　をコンピュータに実行させるプログラムが記憶される記憶媒体。」
　
（一応の相違点）
　本願発明は「前記データベースサーバにおいて検索された、前記識別情報に対応する曲名及びアーティスト名を表すテキストデータを含む第１の関連情報を受信するステップ」及び「前記第１の関連情報を表示部に表示させるステップ」を有するのに対し、引用発明には前記ステップについて特定されていない点。
　
４．判断
　上記一応の相違点について検討する。
　音楽ＣＤの識別情報から曲名やアーティスト名等のテキストデータをデータベースから直接検索して表示させる技術は、周知であって（例えば、国際公開第９７／５６１６号（請求項１、第２頁第２７行乃至３４行、第７頁第３０行乃至第９頁第３１行、第１０頁表２等）、特開平８−１４７９４８号公報（段落【００１３】乃至【００１９】、図１等）、及び、特開平８−３０６１６７号公報（段落【００６３】、【００７７】、【００８０】、【００８４】、【０１０５】、図１５、１９等）等参照。）、関連情報を表示する構成において新たな作用効果を奏するものではないから、先願発明において、「データベースを有し、且つ、識別情報からアドレスを検索する検索部を有する外部サーバ」（データベースサーバ）で検索を行う際の検索対象、及び、表示部での表示対象として、上記曲名及びアーティスト名等のテキストデータを含めること、すなわち本願補正発明における「前記データベースサーバにおいて検索された、前記識別情報に対応する曲名及びアーティスト名を表すテキストデータを含む第１の関連情報を受信するステップ」及び「前記第１の関連情報を表示部に表示させるステップ」に実質的に相当する構成を備えることは、関連情報の表示という課題解決のための具体化手段における微差にすぎない。
　
　よって、本願発明は、先願発明と実質的に同一である。しかも、本願発明の発明者が先願発明の発明者と同一であるとも、また、本願出願の時に、その出願人が上記先願の出願人と同一であるとも認められないので、本願発明は、特許法第２９条の２の規定により特許を受けることができないものである。
　
５．むすび
　以上のとおり、本願の請求項１に係る発明は、特許法第２９条の２の規定により特許を受けることができない。
　したがって、本願は、その余の請求項について論及するまでもなく、拒絶すべきものである。
　
　よって、結論のとおり審決する。